(57)【要約】【課題】イベントの現場において、人を配置しなくても、イベントに応じた領域の状況を確認できるようにする。【解決手段】状況確認装置１０は、イベントの会場、又は、イベントに関連する場所に配置される。状況確認装置１０は、本体１と、本体１に取り付けられ路面上を転動可能な車輪２と、本体１に取り付けられ対象領域を撮像して動画データを生成するカメラ３と、本体１に取り付けられカメラ３が生成した動画データを、通信ネットワークを介してリアルタイムに端末へ送信する通信装置４とを備える。【選択図】図２
2019091983.tif 000002
【特許請求の範囲】
【請求項１】
イベントの会場、又は、イベントに関連する場所の状況をリアルタイムに確認するための状況確認装置であって、
本体と、
前記本体に取り付けられ路面上を転動可能な車輪と、
前記本体に取り付けられ対象領域を撮像して動画データを生成するカメラと、
前記本体に取り付けられ前記カメラが生成した動画データを、通信ネットワークを介してリアルタイムに端末へ送信する通信装置とを備える状況確認装置。
【請求項２】
前記本体は、基部と、該基部から上方へ延びている伸長部とを含み、
前記基部には、前記車輪が取り付けられており、前記伸長部には、前記カメラが取り付けられている、請求項１に記載の状況確認装置。
【請求項３】
前記伸長部は、鉛直方向に伸縮可能に構成されている、請求項２に記載の状況確認装置。
【請求項４】
前記カメラと前記通信装置が収容された内部空間を有するボックスを備え、
前記ボックスが前記本体に取り付けられていることにより、前記カメラと前記通信装置は、前記ボックスを介して前記本体に取り付けられており、
該ボックスは、前記内部空間を区画する壁部を有し、該壁部には窓が形成されており、
前記カメラは、前記窓を通して対象領域を撮像する、請求項１〜３のいずれか一項に記載の状況確認装置。
【請求項５】
前記本体に取り付けられ、前記カメラが撮像する対象領域に投光可能な投光装置を備える、請求項１〜４のいずれか一項に記載の状況確認装置。
【請求項６】
イベントの会場、又は、イベントに関連する場所の状況をリアルタイムに確認するための状況確認システムであって、
前記会場又は前記関連する場所へ配置される、請求項１〜５のいずれか一項に記載の状況確認装置と、
通信ネットワークを介して前記状況確認装置と通信可能な端末とを備え、
前記状況確認装置において、前記カメラが対象領域を撮像して動画データを生成し、前記通信装置が、当該動画データを、前記通信ネットワークを介してリアルタイムに前記端末へ送信し、
前記端末は、受信した前記動画データをリアルタイムに表示するディスプレイを有する、状況確認システム。
【請求項７】
イベントの会場、又は、イベントに関連する場所の状況をリアルタイムに確認するための状況確認方法であって、
前記会場又は前記関連する場所に配置された、請求項１〜５のいずれか一項に記載の状況確認装置において前記カメラが対象領域を撮像して動画データを生成する場合に、
前記通信装置から送信された前記動画データを、通信ネットワークを介して受信し、
該受信した動画データをリアルタイムに表示する、状況確認方法。
【発明の詳細な説明】
【技術分野】
【０００１】
本発明は、イベント（行事や催しなど）の会場、又は当該イベントに関連する場所の状況を確認する状況確認装置、状況確認システム、および状況確認方法に関する。
【背景技術】
【０００２】
地域の活性化のためのコミュニティーイベントや、スポーツを通じて人と人とのコミュニケーションを図るスポーツイベントや、記念式典、展示会などの他のイベントを開催する場合に、イベントが適切に行われるように、その現場の状況を確認することが要求される。
【０００３】
そのために、イベント会場又はイベント関連場所に人を配置して、人が、イベントの状況を把握し、把握した状況に応じて適切な対応をとることが必要である。例えば、イベント会場において、特定の領域（例えば複数の出店が存在するイベント会場における人気店の前）に人が集中し過ぎて、当該領域を人が通れなくなっている場合には、人の通路を確保できるように係員が人々を誘導する必要がある。
【０００４】
また、イベント関連場所は、例えば、イベント参加者が利用する駐車場である。この場合、当該駐車場において、係員が、駐車場の状況を確認し必要な場合には自動車の誘導をする。
【先行技術文献】
【特許文献】
【０００５】
【特許文献１】特開２００５−１７５７０１号公報
【発明の概要】
【発明が解決しようとする課題】
【０００６】
しかし、イベント会場又はイベント関連場所において、イベントの状況の確認を人が行う場合には、状況確認を行うための人員が多くなる。また、真夏や真冬にイベントを屋外で開催する場合には、状況確認をする人が、暑さで熱中症になったり、寒さで風を引いたりする可能性がある。
【０００７】
そのため、人が現場に居なくても、イベント会場又はイベント関連場所の状況をリアルタイムで確認できるようにすることが望まれる。この場合、例えば特許文献１に記載されているような設備（鉄道駅舎の自動改札や店舗の自動ドア）の稼働状況を監視する監視カメラを用いて、イベント会場又はイベント関連場所の状況を確認することが考えられる。
【０００８】
しかし、イベント毎に、会場の場所が異なったり、あるいは、同じ会場であってもイベントに応じて状況確認をする現場の領域が異なったりする場合がある。そのため、イベント毎に、イベントに応じた領域の状況を確認できるように、監視カメラを既存の構造物に取り付ける手間が発生してしまう。また、イベント会場が屋外の場合には、監視カメラを取り付ける構造物が無いこともある。
【０００９】
そこで、本発明の目的は、イベントの現場において、人を配置しなくても、また、カメラを既存の構造物に取り付けなくても、イベントに応じた領域の状況を確認できるようにする状況確認装置、状況確認システム、および状況確認方法を提供することにある。
【課題を解決するための手段】
【００１０】
上述の目的を達成するため、本発明による状況確認装置は、イベントの会場、又は、イベントに関連する場所の状況をリアルタイムに確認するための装置であって、
本体と、
本体に取り付けられ路面上を転動可能な車輪と、
本体に取り付けられ対象領域を撮像して動画データを生成するカメラと、
本体に取り付けられカメラが生成した動画データを、通信ネットワークを介してリアルタイムに端末へ送信する通信装置とを備える。
【００１１】
また、本発明による状況確認システムは、イベントの会場、又は、イベントに関連する場所の状況をリアルタイムに確認するためのシステムであって、
会場又はイベントに関連する場所へ配置される上述の状況確認装置と、
通信ネットワークを介して状況確認装置と通信可能な端末とを備え、
状況確認装置において、カメラが対象領域を撮像して動画データを生成し、通信装置が、当該動画データを、通信ネットワークを介してリアルタイムに端末へ送信し、
端末は、受信した動画データをリアルタイムに表示するディスプレイを有する。
【００１２】
さらに、本発明による状況確認方法は、イベントの会場、又は、イベントに関連する場所の状況をリアルタイムに確認するための方法であって、
会場又はイベントに関連する場所に配置された上述の状況確認装置においてカメラが対象領域を撮像して動画データを生成する場合に、
通信装置から送信された動画データを、通信ネットワークを介して受信し、
該受信した動画データをリアルタイムに表示する。
【発明の効果】
【００１３】
状況確認装置の本体には、路面上を転動可能な車輪が取り付けられているので、イベント会場又はイベント関連場所の所望の位置へ状況確認装置を容易に移動できる。すなわち、本体に取り付けられたカメラが所望の対象領域を撮像できる位置へ状況確認装置を容易に移動できる。
【００１４】
また、カメラが撮像した動画データを、リアルタイムに、別の位置にある端末に送信するので、人は、イベント会場又はイベント関連場所に居なくても、端末に表示された動画データを見ることで、イベント会場又はイベント関連場所の状況をリアルタイムに確認できる。よって、イベントの現場において、人を配置しなくても、また、カメラを既存の構造物に取り付けなくても、イベントに応じた対象領域の状況をリアルタイムに確認できる。
【図面の簡単な説明】
【００１５】
【図１】本発明の実施形態による状況確認装置の構成を示す。
【図２】図１において伸長部が伸長した状態を示す。
【図３】本発明の実施形態による状況確認システムの構成を示す。
【図４】本発明の実施形態による状況確認方法のフローチャートである。
【発明を実施するための形態】
【００１６】
本発明の実施形態を図面に基づいて説明する。なお、各図において共通する部分には同一の符号を付し、重複した説明を省略する。
【００１７】
（状況確認装置）
図１（Ａ）は、本発明の実施形態による状況確認装置１０の構成を示す側面図である。図１（Ｂ）は、図１（Ａ）のＢ−Ｂ矢視図であって状況確認装置１０の正面図である。状況確認装置１０は、イベント会場又はイベント関連場所の状況を、人がその場に居なくてもリアルタイムに確認できるようにする装置である。状況確認装置１０は、本体１と車輪２とカメラ３と通信装置４とボックス５と投光装置６と電力源７を備える。
【００１８】
本体１は、基部８と、基部８から上方へ延びている伸長部９とを含む。伸長部９の下端部は基部８に結合されていてよい。伸長部９は、鉛直方向に伸縮可能に構成されていてよい。この場合、伸長部９は伸長した状態が維持される構成を有している。
【００１９】
伸長部９は、図１では収縮した状態にあり、図２では伸長した状態にある。図２（Ａ）（Ｂ）は、それぞれ図１（Ａ）（Ｂ）において伸長部９が伸長した状態を示す。
【００２０】
伸長部９は、例えば、第１および第２の筒状部材９ａ，９ｂを含む。図１の例では、各筒状部材９ａ，９ｂは、円筒形の部材である。第１の筒状部材９ａの下端部は、基部８に結合されている。第２の筒状部材９ｂの外径は第１の筒状部材９ａの内径よりも小さいことにより、第１の筒状部材９ａの内部に挿入されている。また、第２の筒状部材９ｂは、その軸方向に、下方位置と上方位置との間で、第１の筒状部材９ａに対して鉛直方向に移動可能となっている。第２の筒状部材９ｂは、図１では下方位置にあり、図２では上方位置にある。
【００２１】
第１の筒状部材９ａに対する第２の筒状部材９ｂの移動は、手で直接行ってもよいし、本体１に設けた適宜のハンドルを手で操作して行ってもよい。これにより、第２の筒状部材９ｂを、下方位置と上方位置の一方から他方へ移動させることができる。
【００２２】
第２の筒状部材９ｂを上方位置に維持するために、例えば、第１および第２の筒状部材９ａ，９ｂには、それぞれ、貫通孔１１ａ，１１ｂが形成されている。第２の筒状部材９ｂが上方位置にある状態では、貫通孔１１ａ，１１ｂは、水平方向に互いに整合する。この状態で、図２のように、これらの貫通孔１１ａ，１１ｂに棒状のロック部材１２を取り外し可能に挿入できるようになっている。この挿入により、第１の筒状部材９ａに対する第２の筒状部材９ｂの移動はロック部材１２を介して第１の筒状部材９ａに阻止され、第１の筒状部材９ａの重量がロック部材１２を介して第１の筒状部材９ａに支持される。これにより伸長部９は伸長した状態に維持される。なお、図１のように第２の筒状部材９ｂが下方位置にある時には、伸長部９は鉛直方向に収縮した状態となり、第２の筒状部材９ｂの下端が例えば第１の筒状部材９ａの底面又は基部８に支持されていることにより当該状態が維持される。
【００２３】
伸長部９は、図１の例では、第１および第２の筒状部材９ａ，９ｂを有する２段の構成となっているが、筒状部材９ａ，９ｂと同様に構成された３以上の筒状部材を有する三段以上の構成となっていてもよい。ただし、伸長部９は、伸縮可能であり、且つ、伸長した状態に維持できる構成であれば、上述の構成に限定されず、他の構成を有していてもよい。
【００２４】
車輪２は、基部８に取り付けられている。車輪２は、路面上を転動可能である。すなわち、車輪２は、自身の中心軸Ｃ回りに回転自在に基部８に取り付けられている。本実施形態では、車輪２は、駆動装置により回転駆動されるものではなく、人が本体１を押すことにより車輪２が路面上を転動可能となっている。
【００２５】
本体１の姿勢を安定して支持するために、中心軸Ｃが互いに平行な複数（例えば４つ）の車輪２が設けられていてよい。すなわち、状況確認装置１０を水平な路面に置く場合に、状況確認装置１０を人や他の物で支えなくても、状況確認装置１０が転倒しないように状況確認装置１０の荷重が複数の車輪２を介して路面に支持される。車輪２の外周部はタイヤになっていてよい。なお、各車輪２に対して、ストッパ（図示せず）が設けられていてよい。ストッパは、対応する車輪２の回転を阻止する位置と、対応する車輪２の回転に干渉しない位置との間で、人により操作されてよい。
【００２６】
カメラ３は、本体１（図１では伸長部９）に取り付けられている。本実施形態では、カメラ３は、図２のように、伸長した状態の伸長部９の上端側部分（例えば上端部）に取り付けられている。カメラ３は、イベント会場又はイベント関連場所における対象領域を撮像して動画データをリアルタイムに生成する。なお、カメラ３は、生成した動画データを記憶する記憶部（図示せず）を有していてもよい。
【００２７】
状況確認装置１０に設けるカメラ３の数は、１つであっても、複数であってもよい。後者の場合、複数のカメラ３は、互いに異なる方向を向くように本体１（伸長部９）に取り付けられてよい。図１の例では、複数のカメラ３は、互いに反対方向を向く２つのカメラ３である。複数のカメラ３を設ける場合、後述する通信装置４とボックス５は、各カメラ３に対して設けられてよい。この場合、各通信装置４は後述する同じ構成を有していてよく、各ボックス５は後述する同じ構成を有していてよい。
【００２８】
カメラ３の向きは、後述する端末１４からの遠隔操作により調整可能であってもよい。この場合には、カメラ３には、自身の向き（すなわちカメラ３の撮像方向）を変更する駆動装置（図示せず）が設けられている。
【００２９】
通信装置４は、カメラ３が生成した動画データを、通信ネットワーク１３（後述の図３）を介して外部の端末１４へリアルタイムに送信する。通信装置４は、無線通信により通信ネットワーク１３に接続可能である。通信ネットワーク１３はインターネットであってよい。
【００３０】
通信装置４は、各端末１４からのログイン要求に対して認証を行う認証機能を有していてよい。この場合、通信装置４は、各端末１４に対して予め定めた認証情報（例えば
識別情報とパスワード）を記憶する記憶部４ａを有する。いずれかの端末１４が、通信ネットワーク１３を介して通信装置４に、認証情報を含むログイン要求を送信した場合に、通信装置４は、当該認証情報に一致する認証情報が記憶部４ａ内に記憶されているかを判断する。この判断の結果が肯定の場合には、当該端末１４をカメラ３にログインさせる。これにより、当該端末１４はカメラ３にログインした状態になり、当該端末１４は、カメラ３が生成した動画データを通信装置４からリアルタイムに受信するようになる。一方、上記判断の結果が否定の場合には、当該端末１４はカメラ３にログインできず、通信装置４は、カメラ３が生成した動画データを当該端末１４に送信しない。
【００３１】
ボックス５は、カメラ３と通信装置４を収容する内部空間を有する。カメラ３と通信装置４は、内部空間に設置されている。ボックス５は伸長部９に取り付けられている。したがって、カメラ３と通信装置４は、ボックス５を介して伸長部９に取り付けられている。ボックス５は、内部空間を区画する壁部を有する。壁部には窓１５が形成されており、カメラ３は、窓１５を通して対象領域を撮像する。窓１５には、透明な材質で形成された窓部材１６が嵌められていてよい。なお、ボックス５を設けずに、カメラ３と通信装置４を本体１（伸長部９）に取り付けてもよい。ボックス５は、外部からその内部空間に塵が進入しないように防塵性を有していてよい。また、ボックス５は、外部からその内部空間に雨水が進入しないように防水性を有していてよい。ボックス５は、これらの防塵性と防水性の一方又は両方を有していてよい。なお、通信装置４の構成要素のうちアンテナだけは、ボックス５の外面に取り付けられてよく、通信装置４の他の構成要素は、ボックス５の内部空間に配置されてよい。
【００３２】
投光装置６は、本体１（図１では伸長部９）に取り付けられている。投光装置６は、カメラ３が撮像する対象領域に投光可能である。すなわち、カメラ３の撮像範囲に投光装置６が投光するように、投光装置６とカメラ３は伸長部９に取り付けられている。投光装置６は、例えばＬＥＤを用いたものであってよい。
【００３３】
複数のカメラ３が本体１に設けられている場合には、複数のカメラ３の撮像範囲にそれぞれ投光する複数の投光装置６が設けられてもよい。
【００３４】
電力源７は、カメラ３、カメラ３の上記駆動装置、通信装置４、および投光装置６に電力を供給する。したがって、カメラ３、カメラ３の上記駆動装置、通信装置４、および投光装置６は、電力源７からの電力により、それぞれ、上述のように機能する。電力源７は、バッテリーであってもよいし、発電装置であってもよい。この発電装置７は、燃料（例えばガソリン）により発電機を駆動して発電を行うものであってもよいが、これに限定されない。発電装置７は、発電した電力を蓄電池に蓄え、当該蓄電池から、カメラ３とカメラ３の上記駆動装置と通信装置４と投光装置６に電力を供給してよい。なお、図１と図２において、電力源７からカメラ３等への電力供給線の図示を省略している。
【００３５】
（状況確認システム）
図３は、本発明の実施形態による状況確認システム２０の構成を示すブロック図である。状況確認システム２０は、上述した状況確認装置１０と端末１４を備える。状況確認装置１０と端末１４は、通信ネットワーク１３を介して通信可能である。通信ネットワーク１３は、インターネットであってよい。
【００３６】
状況確認装置１０の通信装置４は、無線通信により通信ネットワーク１３に接続する。
【００３７】
図３において、複数の端末１４が存在する（ただし、端末１４の数は１つであってもよい）。以下において、１つの端末１４について説明するが、他の端末１４も以下と同じ構成を有していてよい。
【００３８】
端末１４は、通信ネットワーク１３に接続可能である。この接続は、無線通信と有線通信のいずれによってなされてもよい。端末１４は、所定の場所（例えば室内）に設置された端末１４（例えばパソコン）であってもよいし、携帯可能な端末１４（例えばタブレット又はスマートフォン）であってもよい。端末１４は、通信装置４から送信された動画データを、通信ネットワーク１３を介してリアルタイムに受信する。また、端末１４は、このように受信した動画データを表示するディスプレイ１４ａを有する。
【００３９】
通信装置４と端末１４が通信ネットワーク１３を介して接続された状態で、カメラ３が対象領域を撮像することにより生成した動画データが、通信ネットワーク１３を介して通信装置４から端末１４へリアルタイムに送信されてよい。また、このように送信された動画データが端末１４に受信されディスプレイ１４ａにリアルタイムに表示される。
【００４０】
端末１４は、通信ネットワーク１３を介して、通信装置４に認証情報を含むログイン要求を送信するように構成されていてよい。例えば、人が端末１４を操作することにより、認証情報の入力と当該送信が行われてよい。
【００４１】
端末１４には、カメラ３の向きを調整するための操作を人が操作可能であってもよい。この場合、端末１４は、行われた当該操作に応じて操作指令を生成して、当該操作指令を通信装置４に送信する。操作指令は、カメラ３の向きの変更方向（例えば、カメラ３の現在の向きに対して右側、左側、下側、又は上側）と、当該変更方向へのカメラ３の向きの変更量とを含んでよい。
【００４２】
（状況確認方法）
図４は、本発明の実施形態による状況確認方法を示すフローチャートである。この方法は、上述の状況確認システム２０を用いて行われる。状況確認方法は、ステップＳ１〜Ｓ５を有する。
【００４３】
ステップＳ１において、状況確認装置１０を、イベント会場又はイベント関連場所へ移動して配置する。ここで、状況確認装置１０を配置する位置は、イベント会場又はイベント関連場所における対象領域をカメラ３が撮像できる位置である。対象領域は、イベント会場において混雑が予想される領域（例えば人が通る狭い通路や、人気のありそうな出店の前など）であってよい。イベント関連場所は、例えば、イベントの参加者が利用する駐車場であってよく、対象領域は、当該駐車場内の領域であってもよい。
【００４４】
ステップＳ１において、人が、通信装置４の電源とカメラ３の電源をオンする操作（例えばボタンを押す操作）を通信装置４とカメラ３に行うことにより、電力源７からの電力で通信装置４とカメラ３を作動させる。これにより、通信装置４は無線通信で通信ネットワーク１３（例えばインターネット）に自身を接続し、カメラ３は、対象領域を撮像した動画データを生成する。
【００４５】
また、伸長部９が伸縮可能に構成されている場合には、ステップＳ１において、状況確認装置１０を配置した後、伸長部９を伸長させてよい。これにより、カメラ３の位置をより高くして、カメラ３の視野を確保する。
【００４６】
ステップＳ２において、通信ネットワーク１３に接続されている端末１４が、ログイン要求を通信装置４へ送信し、これにより、通信装置４は、通信ネットワーク１３を介して当該ログイン要求を受信する。なお、ボックス５毎に、通信装置４が設けられている場合には、ステップＳ２は、各通信装置４に対して行われてよい。
【００４７】
ステップＳ３において、通信装置４は、受信したログイン要求に含まれている認証情報に一致する認証情報が記憶部４ａ内に存在するかを判断する。当該判断の結果が肯定の場合には、通信装置４は、当該端末１４をカメラ３にログインさせ、処理がステップＳ４へ移行する。ステップＳ３の判断の結果が否定である場合には、端末１４をカメラ３にログインさせず状況確認方法の処理を終了する。なお、ボックス５毎に、通信装置４が設けられている場合には、ステップＳ２でログイン要求を受信した各通信装置４が、ステップＳ３を行ってよい。
【００４８】
ステップＳ４において、通信装置４は、ステップＳ３でカメラ３にログインした端末１４に、当該カメラ３が生成した動画データを、通信ネットワーク１３を介してリアルタイムに送信する。これにより、端末１４は、受信した動画データをディスプレイ１４ａにリアルタイムに表示する。
【００４９】
なお、ボックス５毎に、通信装置４が設けられている場合には、ステップＳ３で肯定の判断をした各通信装置４が、対応するカメラ３の動画データについてステップＳ４を行ってよい。この場合、端末１４は、複数のカメラ３がそれぞれ生成した動画データを、ディスプレイ１４ａの複数の領域にそれぞれリアルタイムに表示してよい。あるいは、人が端末１４を操作することにより、ディスプレイ１４ａに表示させる動画データを切り換えてもよい。すなわち、人が端末１４を操作することにより、カメラ３を選択することができ、当該選択がなされる度に、新たに選択されたカメラ３が生成した動画データがディスプレイ１４ａにリアルタイムに表示されてもよい。
【００５０】
ステップＳ５において、人は、ディスプレイ１４ａに表示された動画データを見て、カメラ３の向きを調整するための操作を端末１４に行ってもよい。この操作が行われた場合には、端末１４は、当該操作を示す上述の操作指令を生成して、通信ネットワーク１３を介して当該操作指令を通信装置４に送信する。これにより、通信装置４は、操作指令を受信すると、当該操作指令をカメラ３に入力する。カメラ３は、その駆動装置により、入力された操作指令に従って向きを変える。なお、ボックス５毎に、通信装置４が設けられている場合には、ステップＳ５は、いずれかのカメラ３と当該カメラ３に対応する通信装置４に対して行われてよい。
【００５１】
ステップＳ４において、又は、ステップＳ５の後、端末１４は、継続的に、カメラ３が生成した動画データを受信し、当該動画データがディスプレイ１４ａに表示される。人は、このように表示された動画データを見て、対象領域の状況を確認し、その状況に応じた対応を取ることができる。
【００５２】
例えば、ディスプレイ１４ａを見た人は、対象領域がイベント参加者で混雑し過ぎていると判断した場合には、対象領域の参加者を誘導してもらうように現場の係員に連絡し、または、会場へ入場する参加者の数を制限するように現場の係員に連絡できる。あるいは、ディスプレイ１４ａを見た人は、イベント関連場所としての駐車場において不適切な位置に駐車した自動車があると判断した場合には、イベント会場にその旨をアナウンスするように現場の係員に連絡できる。また、ディスプレイ１４ａを見た人は、上記駐車場が混雑し過ぎていると判断した場合には、駐車場において自動車を誘導してもらうように現場の係員に連絡できる。また、ディスプレイ１４ａを見た人は、対象領域で行われているショーの進行がスケジュールよりも遅れていると判断した場合には、ショーの進行の速めるように現場の係員に連絡できる。
【００５３】
（実施形態の効果）
状況確認装置１０の本体１には、路面上を転動可能な車輪２が取り付けられているので、イベント会場又はイベント関連場所の所望の位置へ状況確認装置１０を容易に移動できる。すなわち、本体１に取り付けられたカメラ３が所望の対象領域を撮像できる位置へ状況確認装置１０を容易に移動できる。
【００５４】
また、カメラ３が撮像した動画データを、リアルタイムに、別の位置にある端末１４に送信するので、人は、イベント会場又はイベント関連場所に居なくても、端末１４に表示された動画データを見ることで、イベント会場又はイベント関連場所の状況をリアルタイムに確認できる。よって、イベントの現場（イベント会場又はイベント関連場所）において、人を配置しなくても、また、カメラを既存の構造物に取り付けなくても、イベントに応じた対象領域の状況をリアルタイムに確認できる。
【００５５】
また、状況確認装置１０により、イベントを適切に開催するために現場に配置する人員を減らすことができる。
【００５６】
複数のカメラ３を状況確認装置１０に設けることにより、広い視野範囲の状況を確認できる。
【００５７】
カメラ３は、基部８から上方へ延びている伸長部９に取り付けられているので、カメラ３の視界を確保しやすい。
また、伸長部９は、鉛直方向に伸縮可能に構成されているので、状況確認装置１０を移動させる時には伸長部９を収縮した状態して、その移動を容易にでき、状況確認装置１０を所望の位置へ移動させたら、伸長部９を伸長させることで、カメラ３を上方へ移動させてその視界を確保できる。
【００５８】
カメラ３と通信装置４は、ボックス５内に設置されているので、状況確認装置１０を屋外で使用しても、塵や雨水が、カメラ３と通信装置４に進入することを防止でき、真夏の熱や真冬の寒気からカメラ３と通信装置４を保護できる。
更に、カメラ３と通信装置４がボックス５に取り付けられているので、カメラ３と通信装置４がボックス５と一体となっている。そのため、状況確認装置１０の組み立てが容易になる。
【００５９】
投光装置６は、カメラ３が撮像する対象領域に投光可能であるので、夜間に行われるイベントであっても、カメラ３は、投光装置６により照らされた対象領域を撮像できる。したがって、夜間であっても、対象領域の状況を、別の場所にある端末１４でリアルタイムに確認できる。
【００６０】
本発明は上述した実施の形態に限定されず、本発明の技術的思想の範囲内で種々変更を加え得ることは勿論である。例えば、以下の変更例１、２の一方又は両方を採用してもよい。この場合、以下で説明しない点は上述と同じであってよい。
【００６１】
（変更例１）
通信装置４が上述の認証機能を有していない場合には、端末１４が、例えば人に操作されることにより、通信ネットワーク１３を介して通信装置４にアクセスしてよい。これにより、通信装置４は、カメラ３が生成した動画データを、通信ネットワーク１３を介して当該端末１４へリアルタイムに送信する。
【００６２】
（変更例２）
複数のカメラ３に対し１つの通信装置４が設けられてもよい。この場合について説明する。
カメラ３毎にボックス５を設ける場合には、通信装置４は、いずれかのボックス５の内部空間に設けられてよい。
上述のステップＳ５において、人は、カメラ３を指定するための操作と、カメラ３の向きを調整するための操作とを端末１４に行ってよい。これにより、端末１４は、指定されたカメラ３を示す指定情報と上述の操作指令を生成して、通信ネットワーク１３を介して当該指定情報と当該操作指令を通信装置４に送信する。これにより、通信装置４は、当該指定情報と操作指令を受信すると、当該指定情報が示すカメラ３に当該操作指令を入力する。当該カメラ３は、その駆動装置により、入力された操作指令に従って向きを変える。
【符号の説明】
【００６３】
１  本体、２  車輪、３  カメラ、４  通信装置、４ａ  記憶部、５  ボックス、６  投光装置、７  電力源（発電装置）、８  基部、９  伸長部、９ａ  第１の筒状部材、９ｂ  第２の筒状部材、１０  状況確認装置、１１ａ，１１ｂ  貫通孔、１２  ロック部材、１３  通信ネットワーク、１４  端末、１４ａ  ディスプレイ、１５  窓、１６  窓部材、２０  状況確認システム、Ｃ  中心軸
【図１】
2019091983.tif 000003
【図２】
2019091983.tif 000004
【図３】
2019091983.tif 000005
【図４】
2019091983.tif 000006